(57)【要約】【課題】  可動側繁殖管理部材の外周部への装着をスムーズに行なうことができると共に、繁殖管理回転盤の使用中に可動側繁殖管理部材の外周部から外れてしまう虞が無く、しかも、繁殖管理回転盤の使用中に可動側繁殖管理部材の外周部の他の箇所に移動させる際の作業性の向上をも図ることのできる繁殖管理回転盤用識別部材を提供する。【解決手段】  識別部材１２は、識別部材本体部１３と、識別部材本体部１３に固着され、可動側繁殖管理部材の強磁性体からなる凸条の外周面に吸着させて、識別部材本体部１３を可動側繁殖管理部材の外周部に装着するために用いられる装着用マグネット１４と、を備えている。【選択図】  図８
2015047144.tif 000002
【特許請求の範囲】
【請求項１】
周方向に沿って繁殖管理スケジュールが表示された略円板状の固定側繁殖管理部材と、前記固定側繁殖管理部材の外周部に沿って配置された略円環板状部分を少なくとも有し、前記固定側繁殖管理部材に対して同心状に１日ひと目盛ずつ回転させて使用される可動側繁殖管理部材と、を備えた繁殖管理回転盤に装着して用いられる、繁殖管理対象の家畜を識別するための識別部材であって、
前記可動側繁殖管理部材は、前記外周部の周方向に沿ってその全周にわたって設けられた強磁性体からなる部分を備え、
前記識別部材は、識別部材本体部と、前記識別部材本体部に固着され、前記可動側繁殖管理部材の前記強磁性体からなる部分に吸着させて、前記識別部材本体部を前記可動側繁殖管理部材の前記外周部に装着するために用いられる装着用マグネットと、を備えていることを特徴とする繁殖管理回転盤用識別部材。
【請求項２】
前記識別部材本体部は、直方体状の本体部材からなる、請求項１に記載の繁殖管理回転盤用識別部材。
【請求項３】
前記本体部材は、４つの外側面が４色に塗り分けられている、請求項２に記載の繁殖管理回転盤用識別部材。
【請求項４】
前記識別部材本体部は、少なくとも棒状マグネットを含む支持体と、両端が開口した直方体筒状の強磁性体からなり、前記支持体に挿通して用いられる複数の本体部材と、を備えている、請求項１に記載の繁殖管理回転盤用識別部材。
【請求項５】
前記複数の本体部材は、それぞれ、４つの外側面が４色に塗り分けられている、請求項４に記載の繁殖管理回転盤用識別部材。
【請求項６】
前記装着用マグネットは、円板状マグネットであって、前記識別部材本体部の基端に固着されている、請求項１〜５のいずれか１項に記載の繁殖管理回転盤用識別部材。
【発明の詳細な説明】
【技術分野】
【０００１】
本発明は、繁殖管理回転盤に装着して用いられる、繁殖管理対象の家畜を識別するための識別部材に関する。
【背景技術】
【０００２】
和牛繁殖農家において、分娩事故を無くすこと、及び、分娩後早期に発情を発見し、受胎させることは、経営を安定させるための大きな要因となる。しかし、近年、和牛繁殖農家での飼養頭数が増加し、このことにより、多くの農場では、牛の観察時間の減少による発情発見率や受胎率の低下という問題が起きている。
【０００３】
このため、従来、母牛の繁殖管理に用いられる繁殖管理回転盤（ブリーディング・ボード）が提案され、実用に供されている（例えば、非特許文献１参照）。この繁殖管理回転盤は、電源も要らず、ソフトを立ち上げる時間やキー操作も不要で、眺めるだけで、この先１年間の見通しが一目で分かる、というものである。より具体的には、この繁殖管理回転盤は、分娩日、発情予定日、種付け日（人工授精日）、妊娠鑑定日等の繁殖管理スケジュールが表示された略円板状の固定側繁殖管理部材と、固定側繁殖管理部材に対して同心状に回転可能に設けられた略円板状の可動側繁殖管理部材とからなり、可動側繁殖管理部材を１日ひと目盛ずつ回転させていき、今日はどの牛に発情が来るのか？どの牛が種付け（人工授精）になるのか？どの牛が分娩予定なのか？等々、母牛群の状況が離れた場所からでも一目で分かるようにされている。
【０００４】
上記繁殖管理回転盤の使用に際しては、繁殖管理対象の母牛を識別するための識別部材が、例えば、可動側繁殖管理部材の外周部の、「分娩日」に対応する箇所に装着され、識別部材を装着した状態で、上記のように可動側繁殖管理部材を１日ひと目盛ずつ回転させていくことにより、当該母牛の発情予定日、種付け日（人工授精日）等が分かるようにされている。尚、固定側繁殖管理部材に表示された「種付け日（人工授精日）」よりも前に実際の種付け（人工授精）が行なわれた場合には、この識別部材を、可動側繁殖管理部材の外周部の、「種付け日（人工授精日）」に対応する箇所に移動させ、同じように可動側繁殖管理部材を１日ひと目盛ずつ回転させていくことにより、種付け（人工授精）後の繁殖管理を行なうようにされている。
【０００５】
非特許文献１に開示された識別部材は、可動側繁殖管理部材の外周面の小孔にピン留めすることによって当該可動側繁殖管理部材の外周部に装着するようにされている。また、分娩日が同じ複数の母牛の繁殖管理を、１つの繁殖管理回転盤を用いて行なう場合には、複数の識別部材を、一方の識別部材の先端面の小孔に他方の識別部材をピン留めすることによって連結するようにされている。
【先行技術文献】
【非特許文献】
【０００６】
【非特許文献１】ブリーディング・ボード-VOYAGE to the DAIRY 「牧場へ行こう」-Yahoo！ブログ、［online］、［平成２５年７月９日検索］、インターネット〈URL:http://blogs.yahoo.co.jp/tama7432/21213920.html〉
【発明の概要】
【発明が解決しようとする課題】
【０００７】
しかし、非特許文献１に開示された識別部材では、可動側繁殖管理部材の外周面の小孔にピン留めすることによって当該可動側繁殖管理部材の外周部に装着するようにされているため、装着のたびに可動側繁殖管理部材の外周面の小孔（装着箇所）を目視で確認する必要があり、可動側繁殖管理部材の外周部への識別部材の装着をスムーズに行なうことができないという問題点がある。そして、この場合、識別部材のピンを可動側繁殖管理部材の外周面の小孔に遊びを持たせた状態で挿入する構成にすると、一旦可動側繁殖管理部材の外周部に装着した識別部材が繁殖管理回転盤の使用中に外れてしまう虞がある。その一方で、識別部材のピンを可動側繁殖管理部材の外周面の小孔に嵌入する（嵌め込む）構成にすると、識別部材を可動側繁殖管理部材の外周部から外し難くなり、繁殖管理回転盤の使用中に識別部材を可動側繁殖管理部材の外周部の他の箇所に移動させる際の作業性が悪くなってしまう。
【０００８】
さらに、非特許文献１に開示された識別部材では、複数の識別部材を、一方の識別部材の先端面の小孔に他方の識別部材をピン留めすることによって連結するようにされているため、連結のたびに一方の識別部材の先端面の小孔（連結箇所）を目視で確認する必要があり、複数の識別部材の連結をスムーズに行なうことができないという問題点がある。そして、この場合、他方の識別部材のピンを一方の識別部材の先端面の小孔に遊びを持たせた状態で挿入する構成にすると、繁殖管理回転盤の使用中に他方の識別部材が一方の識別部材から外れてしまう虞がある。その一方で、他方の識別部材のピンを一方の識別部材の先端面の小孔に嵌入する（嵌め込む）構成にすると、他方の識別部材を一方の識別部材から切り離し難くなり、繁殖管理回転盤の使用中に複数の識別部材のうちのいずれかを可動側繁殖管理部材の外周部の他の箇所に移動させる際の作業性が悪くなってしまう。
【０００９】
本発明は、従来技術における前記課題を解決するためになされたものであり、可動側繁殖管理部材の外周部への装着をスムーズに行なうことができると共に、繁殖管理回転盤の使用中に可動側繁殖管理部材の外周部から外れてしまう虞が無く、しかも、繁殖管理回転盤の使用中に可動側繁殖管理部材の外周部の他の箇所に移動させる際の作業性の向上をも図ることのできる繁殖管理回転盤用識別部材を提供することを目的とする。また、本発明は、複数の識別部材の連結をスムーズに行なうことができると共に、繁殖管理回転盤の使用中に他方の識別部材が一方の識別部材から外れてしまう虞が無く、しかも、繁殖管理回転盤の使用中に複数の識別部材のうちのいずれかを可動側繁殖管理部材の外周部の他の箇所に移動させる際の作業性の向上をも図ることのできる繁殖管理回転盤用識別部材を提供することを目的とする。
【課題を解決するための手段】
【００１０】
前記目的を達成するため、本発明に係る繁殖管理回転盤用識別部材の構成は、
（１）周方向に沿って繁殖管理スケジュールが表示された略円板状の固定側繁殖管理部材と、前記固定側繁殖管理部材の外周部に沿って配置された略円環板状部分を少なくとも有し、前記固定側繁殖管理部材に対して同心状に１日ひと目盛ずつ回転させて使用される可動側繁殖管理部材と、を備えた繁殖管理回転盤に装着して用いられる、繁殖管理対象の家畜を識別するための識別部材であって、前記可動側繁殖管理部材は、前記外周部の周方向に沿ってその全周にわたって設けられた強磁性体からなる部分を備え、前記識別部材は、識別部材本体部と、前記識別部材本体部に固着され、前記可動側繁殖管理部材の前記強磁性体からなる部分に吸着させて、前記識別部材本体部を前記可動側繁殖管理部材の前記外周部に装着するために用いられる装着用マグネットと、を備えていることを特徴とする。
【００１１】
本発明の繁殖管理回転盤用識別部材の上記（１）の構成によれば、装着箇所を目視で確認することなく、装着用マグネットを可動側繁殖管理部材の強磁性体からなる部分に吸着させるだけで、識別部材本体部を可動側繁殖管理部材の外周部に装着することができる。従って、本発明の繁殖管理回転盤用識別部材の上記（１）の構成によれば、可動側繁殖管理部材の外周部への識別部材の装着をスムーズに行なうことができる。また、本発明の繁殖管理回転盤用識別部材の上記（１）の構成によれば、磁力によって識別部材本体部を可動側繁殖管理部材の外周部に装着するものであるため、繁殖管理回転盤の使用中に識別部材が可動側繁殖管理部材の外周部から外れてしまう虞は無い。しかも、可動側繁殖管理部材の外周部に装着された識別部材本体部を適度な力で外すことができるので、繁殖管理回転盤の使用中に識別部材を可動側繁殖管理部材の外周部の他の箇所に移動させる際の作業性の向上を図ることもできる。
【００１２】
本発明の繁殖管理回転盤用識別部材の上記（１）の構成においては、以下の（２）〜（９）のような構成にすることが好ましい。
【００１３】
（２）前記識別部材本体部は、直方体状の本体部材からなる。
【００１４】
（３）上記（２）の構成において、前記本体部材は、４つの外側面が４色に塗り分けられている。
【００１５】
上記（３）の好ましい構成によれば、例えば、本体部材の４つの外側面を、それぞれ、人工授精（ＡＩ）対象の母牛であることを示す「赤色」、発情予定の母牛であることを示す「白色」、ＡＩ後妊娠鑑定待ちの母牛であることを示す「黄色」、妊娠確定（＋）の母牛であることを示す「緑色」の４色に塗り分け、識別部材を、繁殖管理対象の家畜の現在の状態に対応する色の面を正面に向けた状態で、可動側繁殖管理部材の外周部に装着しておくことにより、繁殖管理対象の家畜が現在どの状態にあるかを視覚的に把握することが可能となる。
【００１６】
（４）上記（２）の構成において、前記本体部材には、前記繁殖管理対象の家畜を識別するための符号が付されている。符号は、例えば、英数字、アルファベット、漢字、ひらがな、カタカナ等、いかなるものであってもよい。
【００１７】
上記（４）の好ましい構成によれば、複数の家畜の繁殖管理を、１つの繁殖管理回転盤を用いて行なう場合に、どの家畜がどの状態にあるかを確実に把握することができる。
【００１８】
（５）前記識別部材本体部は、少なくとも棒状マグネットを含む支持体と、両端が開口した直方体筒状の強磁性体からなり、前記支持体に挿通して用いられる複数の本体部材と、を備えている。
【００１９】
上記（５）の好ましい構成によれば、連結箇所を目視で確認することなく、強磁性体からなる複数の本体部材（識別部材）を、少なくとも棒状マグネットを含む支持体に順に挿通するだけで、当該複数の本体部材（識別部材）を連結することができる。従って、上記（５）の好ましい構成によれば、複数の本体部材（識別部材）の連結をスムーズに行なうことができる。また、上記（５）の好ましい構成によれば、磁力によって複数の本体部材（識別部材）を連結するものであるため、繁殖管理回転盤の使用中に他方の本体部材（識別部材）が一方の本体部材（識別部材）から外れてしまう虞は無い。しかも、他方の本体部材（識別部材）を一方の本体部材（識別部材）から適度な力で切り離すことができるので、繁殖管理回転盤の使用中に複数の本体部材（識別部材）のうちのいずれかを可動側繁殖管理部材の外周部の他の箇所に移動させる際の作業性の向上を図ることもできる。
【００２０】
（６）上記（５）の構成において、前記複数の本体部材は、それぞれ、４つの外側面が４色に塗り分けられている。
【００２１】
（７）上記（５）の構成において、前記複数の本体部材には、それぞれ、前記繁殖管理対象の家畜を識別するための符号が付されている。
【００２２】
（８）前記装着用マグネットは、円板状マグネットであって、前記識別部材本体部の基端に固着されている。
【００２３】
（９）上記（８）の構成において、前記円板状マグネットは、低背円筒状のマグネットホルダに取り付けられている。
【発明の効果】
【００２４】
本発明によれば、可動側繁殖管理部材の外周部への装着をスムーズに行なうことができると共に、繁殖管理回転盤の使用中に可動側繁殖管理部材の外周部から外れてしまう虞が無く、しかも、繁殖管理回転盤の使用中に可動側繁殖管理部材の外周部の他の箇所に移動させる際の作業性の向上をも図ることのできる繁殖管理回転盤用識別部材を提供することができる。
【図面の簡単な説明】
【００２５】
【図１】図１は、本発明の第１の実施の形態における繁殖管理回転盤用識別部材が装着される繁殖管理回転盤の構成を示す正面図である。
【図２】図２は、本発明の第１の実施の形態における繁殖管理回転盤用識別部材が装着される繁殖管理回転盤の構成を示す背面図である。
【図３】図３は、本発明の第１の実施の形態における繁殖管理回転盤用識別部材が装着される繁殖管理回転盤を斜め後ろ方向から見た斜視図である。
【図４】図４は、本発明の第１の実施の形態における繁殖管理回転盤用識別部材が装着される繁殖管理回転盤の外周部分の詳細を説明するために、便宜的に、分娩日から分娩後２０日までの構成（ａ）と、分娩後２０日から分娩後４０日までの構成（ｂ）と、を直線的に表わした模式図である。
【図５】図５は、本発明の第１の実施の形態における繁殖管理回転盤用識別部材が装着される繁殖管理回転盤の外周部分の詳細を説明するために、便宜的に、分娩後４０日から分娩後６０日までの構成（ｃ）と、分娩後６０日から分娩後８０日（１年１産リミット、発情日、人工授精（ＡＩ）日）までの構成（ｄ）と、を直線的に表わした模式図である。
【図６】図６は、本発明の第１の実施の形態における繁殖管理回転盤用識別部材が装着される繁殖管理回転盤の外周部分の詳細を説明するために、便宜的に、分娩後８０日（１年１産リミット、発情日、ＡＩ日）からＡＩ後２１日までの構成（ｅ）と、ＡＩ後２１日からＡＩ後４２日までの構成（ｆ）と、ＡＩ後４２日からＡＩ後６０日までの構成（ｇ）と、を直線的に表わした模式図である。
【図７】図７は、本発明の第１の実施の形態における繁殖管理回転盤用識別部材が装着される繁殖管理回転盤の可動側繁殖管理部材を回転させている状態を示す正面図である。
【図８】図８は、本発明の第１の実施の形態における繁殖管理回転盤用識別部材を示す斜視図である。
【図９】図９は、本発明の第１の実施の形態における繁殖管理回転盤用識別部材が装着される繁殖管理回転盤の可動側繁殖管理部材を、図１の状態からひと目盛（１日分）だけ回転させた状態を示す正面図である。
【図１０】図１０は、本発明の第１の実施の形態における繁殖管理回転盤用識別部材が装着される繁殖管理回転盤の、繁殖管理対象の母牛に発情が来た日の状態を示す正面図である。
【図１１】図１１は、本発明の第１の実施の形態における繁殖管理回転盤用識別部材が装着される繁殖管理回転盤の、繁殖管理対象の母牛に人工授精を行なった日の状態を示す正面図である。
【図１２】図１２は、本発明の第１の実施の形態における繁殖管理回転盤用識別部材が装着される繁殖管理回転盤の、繁殖管理対象の母牛の妊娠が確定した日の状態を示す正面図である。
【図１３】図１３は、本発明の第１の実施の形態における繁殖管理回転盤用識別部材の他の例を示す斜視図（（ａ）は識別部材本体部が矩形平板状の本体部材からなる場合、（ｂ）は識別部材本体部が円柱状の本体部材からなる場合）である。
【図１４】図１４は、本発明の第１の実施の形態における繁殖管理回転盤用識別部材のさらなる他の例を示す斜視図（装着用マグネットが略立方体状のマグネットからなる場合）である。
【図１５】図１５は、本発明の第１の実施の形態における繁殖管理回転盤用識別部材のさらなる他の例を示す斜視図（装着用マグネットが識別部材本体部の外側面に固着されている場合）である。
【図１６】図１６は、本発明の第２の実施の形態における繁殖管理回転盤用識別部材を示す分解斜視図である。
【図１７】図１７は、本発明の第２の実施の形態における繁殖管理回転盤用識別部材の使用状態を示す斜視図である。
【図１８】図１８は、本発明の第２の実施の形態における繁殖管理回転盤用識別部材が装着される繁殖管理回転盤の、繁殖管理対象の３頭の母牛が同日に分娩を終えた日の状態を示す正面図である。
【図１９】図１９は、本発明の第２の実施の形態における繁殖管理回転盤用識別部材が装着される繁殖管理回転盤の、繁殖管理対象の２頭の母牛が同日に分娩を終えた日の状態を示す正面図である。
【図２０】図２０は、本発明の第２の実施の形態における繁殖管理回転盤用識別部材が装着される繁殖管理回転盤の、繁殖管理対象の３頭の母牛に発情が来た日の状態を示す正面図である。
【図２１】図２１は、本発明の第２の実施の形態における繁殖管理回転盤用識別部材が装着される繁殖管理回転盤の、繁殖管理対象の３頭の母牛のうちの１頭に人工授精を行なった日の状態を示す正面図である。
【図２２】図２２は、本発明の第２の実施の形態における繁殖管理回転盤用識別部材の他の例を示す分解斜視図（支持体がマグネットホルダに直接立設される場合）である。
【図２３】図２３は、本発明の第２の実施の形態における繁殖管理回転盤用識別部材のさらなる他の例を示す分解斜視図（円筒状に形成された本体部材を備える場合）である。
【図２４】図２４は、本発明の第２の実施の形態における繁殖管理回転盤用識別部材のさらなる他の例を示す分解斜視図（支持体が棒状マグネットのみからなる場合）である。
【図２５】図２５は、本発明の第２の実施の形態における繁殖管理回転盤用識別部材のさらなる他の例の使用状態を示す斜視図（装着用マグネットが識別部材本体部の外側面に固着されている場合）である。
【発明を実施するための形態】
【００２６】
以下、好適な実施の形態を用いて本発明をさらに具体的に説明する。但し、下記の実施の形態は本発明を具現化した例に過ぎず、本発明はこれに限定されるものではない。
【００２７】
［第１の実施の形態］
［繁殖管理回転盤の構成］
本発明の第１の実施の形態における繁殖管理回転盤用識別部材の構成について説明する前に、まず、当該識別部材が装着される繁殖管理回転盤の構成の一例について、図１〜図７を参照しながら説明する。
【００２８】
図１は、本発明の第１の実施の形態における繁殖管理回転盤用識別部材が装着される繁殖管理回転盤の構成を示す正面図、図２は、当該繁殖管理回転盤の構成を示す背面図、図３は、当該繁殖管理回転盤を斜め後ろ方向から見た斜視図、図４は、当該繁殖管理回転盤の外周部分の詳細を説明するために、便宜的に、分娩日から分娩後２０日までの構成（ａ）と、分娩後２０日から分娩後４０日までの構成（ｂ）と、を直線的に表わした模式図、図５は、当該繁殖管理回転盤の外周部分の詳細を説明するために、便宜的に、分娩後４０日から分娩後６０日までの構成（ｃ）と、分娩後６０日から分娩後８０日（１年１産リミット、発情日、人工授精（ＡＩ）日）までの構成（ｄ）と、を直線的に表わした模式図、図６は、当該繁殖管理回転盤の外周部分の詳細を説明するために、便宜的に、分娩後８０日（１年１産リミット、発情日、ＡＩ日）からＡＩ後２１日までの構成（ｅ）と、ＡＩ後２１日からＡＩ後４２日までの構成（ｆ）と、ＡＩ後４２日からＡＩ後６０日までの構成（ｇ）と、を直線的に表わした模式図、図７は、当該繁殖管理回転盤の可動側繁殖管理部材を回転させている状態を示す正面図である。
【００２９】
図１〜図３に示すように、本実施の形態の繁殖管理回転盤用識別部材（以下、単に「識別部材」という）１２が装着される繁殖管理回転盤１は、円板状の固定側繁殖管理部材２と、固定側繁殖管理部材２に対して同心状に回転可能に設けられた円板状の可動側繁殖管理部材３と、を備えている。ここで、可動側繁殖管理部材３は、固定側繁殖管理部材２よりも大きい径を有し、固定側繁殖管理部材２の前面側に配置されて、固定側繁殖管理部材２の中央で軸支されている。尚、図１において、参照符号４は、可動側繁殖管理部材３を固定側繁殖管理部材２に軸支するための軸支部材を示している。また、固定側繁殖管理部材２の背面には、固定金具９が溶着されており、この固定金具９を介して繁殖管理回転盤１を壁等に固定することができるようにされている。
【００３０】
図１、図４〜図６に示すように、固定側繁殖管理部材２には、その外周部に日付表示欄５が設けられていると共に、日付表示欄５よりも内側に位置して情報表示部６が設けられている。ここで、日付表示欄５は、円周方向に沿って１４０個の領域に分割して形成されている。そして、日付表示欄５は、分娩日を示す“０”の数字と、それに続く分娩後１日を示す“１”から１年１産リミットの人工授精（artificial insemination （ＡＩ））日ともなる分娩後８０日を示す“８０”までの数字とが時計方向に順に表示された第１の日付表示欄７と、第１の日付表示欄７に続けて設けられ、ＡＩ後１日を示す“１”からＡＩ後５９日を示す“５９”までの数字が時計方向に順に表示された第２の日付表示欄８とからなっている。情報表示部６には、日付表示欄５の円周方向に沿って「分娩日」、「初回発情注意」、「ＡＩ日」、「発情日」、「発情注意」、「妊娠鑑定」などの繁殖管理スケジュールが表示されている。
【００３１】
図１、図４、図５に示すように、情報表示部６には、分娩日を示す“０”の数字と対応する箇所に、数字“０”を「△（オレンジ色）」で指して「分娩日」と赤色文字で表示されている。そして、第１の日付表示欄７のうち、分娩日を示す“０”の数字領域はピンク色に着色されている。尚、繁殖管理回転盤１において、「分娩日」は、ＡＩ後６０日ともなっている。そのため、情報表示部６の対応する箇所に「ＡＩ後６０日」と表示されている。また、情報表示部６には、分娩後２０日を示す“２０”の数字と対応する箇所に、数字“２０”を「△（白色）」で指して「分娩後２０日」と表示されている。さらに、情報表示部６には、分娩後４０日を示す“４０”の数字と対応する箇所に、数字“４０”を「△（白色）」で指して「分娩後４０日」と表示されている。そして、第１の日付表示欄７のうち、分娩後２０日を示す“２０”から分娩後４０日を示す“４０”までの数字領域はピンク色に着色され、情報表示部６の対応する箇所に「初回発情注意」と黒地に黄色文字で表示されている。すなわち、第１の日付表示欄７のうち、分娩後２０日を示す“２０”から分娩後４０日を示す“４０”までの数字領域が、初回発情注意期間として特定され、その旨の情報が情報表示部６に表示されている。
【００３２】
また、情報表示部６には、分娩後６０日を示す“６０”の数字と対応する箇所に、数字“６０”を「△（白色）」で指して「分娩後６０日」と表示されている。さらに、第１の日付表示欄７のうち、分娩後８０日を示す“８０”の数字領域は赤色に着色され、情報表示部６の対応する箇所に、数字“８０”を「△（赤色）」で指して「分娩後８０日（１年１産リミット）」と表示されている。尚、繁殖管理回転盤１において、「分娩後８０日」は、発情日、及び、ＡＩ日ともなっている。そのため、情報表示部６の対応する箇所に「発情日」、「ＡＩ日」と赤地に白色文字で表示されている。
【００３３】
図１、図６に示すように、第２の日付表示欄８のうち、ＡＩ後１９日を示す“１９”からＡＩ後２３日を示す“２３”までの数字領域と、ＡＩ後４０日を示す“４０”からＡＩ後４４日を示す“４４”までの数字領域とはピンク色に着色され、情報表示部６の対応する箇所に「発情注意」と黒地に黄色文字で表示されている。すなわち、第２の日付表示欄８のうち、ＡＩ後１９日を示す“１９”からＡＩ後２３日を示す“２３”までの数字領域と、ＡＩ後４０日を示す“４０”からＡＩ後４４日を示す“４４”までの数字領域とが発情注意期間として特定され、その旨の情報が情報表示部６に表示されている。また、情報表示部６には、ＡＩ後２１日を示す“２１”の数字と対応する箇所に、数字“２１”を「△（黄色）」で指して「ＡＩ後２１日」と表示されている。さらに、情報表示部６には、ＡＩ後４２日を示す“４２”の数字と対応する箇所に、数字“４２”を「△（黄色）」で指して「ＡＩ後４２日」と表示されている。また、ＡＩ後５０日からＡＩ後６０日までの期間が妊娠鑑定の適期であるため、情報表示部６の対応する箇所に「妊娠鑑定」と表示されている。
【００３４】
図１、図４〜図６に示すように、可動側繁殖管理部材３には、その外周部に曜日表示欄１０が設けられている。また、可動側繁殖管理部材３は、固定側繁殖管理部材２の日付表示欄５及び情報表示部６と対応する部分が透明になっており、これにより、固定側繁殖管理部材２の日付表示欄５及び情報表示部６が視認できるようにされている。ここで、曜日表示欄１０は、日付表示欄５と同様に、円周方向に沿って１４０個の領域に分割して形成されている。そして、曜日表示欄１０の１４０個の領域には、“月”、“火”、“水”、“木”、“金”、“土”、“日”の文字が反時計方向にこの順番で繰り返し表示されている。尚、繁殖管理回転盤１の使用時には、可動側繁殖管理部材３を時計方向に回転させることとなるので（図７の矢印Ａ参照）、例えば、分娩日を示す“０”の数字に対応する曜日は、可動側繁殖管理部材３の回転に伴って、通常通り、“月”、“火”、“水”、“木”、“金”、“土”、“日”・・・と進んでいく。
【００３５】
図２、図３に示すように、可動側繁殖管理部材３の背面には、当該可動側繁殖管理部材３の最外周よりも少し内側に位置して低背円筒状の凸条１１が設けられている。そして、可動側繁殖管理部材３の外周部の背面側は、凸条１１を含めてＦｅ、Ｎｉ、Ｃｏ、Ｆｅ−Ｎｉ、Ｆｅ−Ｃｏ、Ｎｉ−Ｃｏ等の強磁性体で形成されている。すなわち、可動側繁殖管理部材３は、外周部の円周方向に沿ってその全周にわたって設けられた強磁性体からなる部分を備えている。
【００３６】
図１、図２、図７に示すように、繁殖管理回転盤１の使用に際しては、繁殖管理対象の母牛を識別するための識別部材１２が可動側繁殖管理部材３の外周部に装着される。
【００３７】
［識別部材の構成］
次に、本実施の形態における識別部材の構成について、図８を参照しながら説明する。
【００３８】
図８は、本発明の第１の実施の形態における、繁殖管理回転盤の使用時に可動側繁殖管理部材の外周部に装着して用いられる、繁殖管理対象の母牛を識別するための識別部材を示す斜視図である。
【００３９】
図８に示すように、本実施の形態の識別部材１２は、識別部材本体部１３と、識別部材本体部１３に固着され、可動側繁殖管理部材３の強磁性体からなる凸条１１の外周面に吸着させて、識別部材本体部１３を可動側繁殖管理部材３の外周部に装着するために用いられる装着用マグネット１４と、を備えている（図１、図２参照）。
【００４０】
本実施の形態の識別部材１２の構成によれば、装着箇所を目視で確認することなく、装着用マグネット１４を可動側繁殖管理部材３の強磁性体からなる凸条１１の外周面に吸着させるだけで、識別部材本体部１３を可動側繁殖管理部材３の外周部に装着することができる。従って、本実施の形態の識別部材１２の構成によれば、可動側繁殖管理部材３の外周部への装着をスムーズに行なうことができる。また、本実施の形態の識別部材１２の構成によれば、磁力によって識別部材本体部１３を可動側繁殖管理部材３の外周部に装着するものであるため、繁殖管理回転盤１の使用中に可動側繁殖管理部材３の外周部から外れてしまう虞は無い。しかも、可動側繁殖管理部材３の外周部に装着された識別部材本体部１３を適度な力で外すことができるので、繁殖管理回転盤１の使用中に識別部材１２を可動側繁殖管理部材３の外周部の他の箇所に移動させる際の作業性の向上を図ることもできる。
【００４１】
識別部材本体部１３は、先端が開口した直方体筒状の本体部材からなっている。装着用マグネット１４は、円板状マグネットであって、低背円筒状のマグネットホルダ２１に取り付けられた状態で、識別部材本体部１３の基端に固着されている。
【００４２】
そして、図１に示すように、可動側繁殖管理部材３の、分娩日を示す“０”の数字と対応する箇所に、繁殖管理対象の母牛を識別するための識別部材１２を装着し、図７に示すように、可動側繁殖管理部材３を矢印Ａの方向（時計方向）に１日ひと目盛ずつ回転させていくことにより、繁殖管理対象の母牛の分娩後の日数を把握することができる。また、例えば、繁殖管理回転盤１が図７の状態にあれば、分娩後の繁殖管理対象の母牛が初回発情注意期間にあることが分かり、分娩後の繁殖管理対象の母牛が初回発情注意期間にあることを見落とすことがないので、発情を迎えつつある繁殖管理対象の母牛を確実に隔離牛房へ移動させることができる。また、可動側繁殖管理部材３の、分娩後８０日（ＡＩ日）を示す“８０”の数字と対応する箇所に、識別部材１２を装着し（図１１参照）、可動側繁殖管理部材３を時計方向に１日ひと目盛ずつ回転させていくことにより、繁殖管理対象の母牛のＡＩ後の日数を把握することもできる。さらに、ＡＩ後の繁殖管理対象の母牛が発情注意期間にあることも分かり、ＡＩ後の繁殖管理対象の母牛が発情状態にあること（人工授精が成功しなかったこと）を見落とすことがないので、再び人工授精を行なって、受胎率の低下を抑えることができる。このように、繁殖管理回転盤１の可動側繁殖管理部材３の外周部に装着して用いられる、繁殖管理対象の母牛を識別するための識別部材１２を使用すれば、繁殖管理対象の母牛の現在の状態を一目で把握することができる。
【００４３】
図８に示すように、識別部材１２の、直方体筒状の本体部材からなる識別部材本体部１３の４つの外側面は、それぞれ、ＡＩ対象の母牛であることを示す「赤色」、発情予定の母牛であることを示す「白色」、ＡＩ後妊娠鑑定待ちの母牛であることを示す「黄色」、妊娠確定（＋）の母牛であることを示す「緑色」の４色に塗り分けられている。
【００４４】
かかる構成によれば、識別部材１２を、繁殖管理対象の母牛の現在の状態に対応する色の面を正面に向けた状態で、可動側繁殖管理部材３の外周部に装着しておくことにより、繁殖管理対象の母牛が現在どの状態にあるかを視覚的に把握することが可能となる。
【００４５】
また、直方体筒状の本体部材からなる識別部材本体部１３には、繁殖管理対象の母牛を識別するための符号（例えば、英数字）が付されている。
【００４６】
かかる構成によれば、複数の母牛の繁殖管理を、１つの繁殖管理回転盤１を用いて行なう場合に、どの母牛がどの状態にあるかを確実に把握することができる。
【００４７】
［識別部材及び繁殖管理回転盤の使用方法］
次に、本発明の第１の実施の形態における識別部材１２及び繁殖管理回転盤１の使用方法について、図９〜図１２をも参照しながら説明する。ここでは、説明を簡略化するために、繁殖管理対象の母牛が１頭である場合を例に挙げて説明する。
【００４８】
図９は、本発明の第１の実施の形態における繁殖管理回転盤用識別部材が装着される繁殖管理回転盤の可動側繁殖管理部材を、図１の状態からひと目盛（１日分）だけ回転させた状態を示す正面図、図１０は、当該繁殖管理回転盤の、繁殖管理対象の母牛に発情が来た日の状態を示す正面図、図１１は、当該繁殖管理回転盤の、繁殖管理対象の母牛に人工授精を行なった日の状態を示す正面図、図１２は、当該繁殖管理回転盤の、繁殖管理対象の母牛の妊娠が確定した日の状態を示す正面図である。
【００４９】
繁殖管理対象の母牛が分娩を終えたら（その分娩日を「火曜日」とする）、図１に示すように、まず、可動側繁殖管理部材３を回転操作して、当該可動側繁殖管理部材３の曜日表示欄１０に表示された「火」の文字を、固定側繁殖管理部材２の分娩日を示す“０”の数字に合わせる。次いで、識別部材１２を、ＡＩ対象の母牛であることを示す「赤色」の面を正面に向けた状態で、可動側繁殖管理部材３の外周部の、分娩日を示す“０”の数字と対応する箇所に装着する。この場合、繁殖管理回転盤１の正面に立ち、分娩日を示す“０”の数字だけを見ながら、装着用マグネット１４を、可動側繁殖管理部材３の強磁性体からなる凸条１１の外周面の、分娩日を示す“０”の数字と対応する箇所に吸着させるだけで、識別部材本体部１３、すなわち識別部材１２を可動側繁殖管理部材３の外周部に装着することができる。従って、識別部材１２の装着をスムーズに行なうことができる。そして、このように識別部材１２を、可動側繁殖管理部材３の外周部の、分娩日を示す“０”の数字と対応する箇所に装着した状態で、可動側繁殖管理部材３を１日ひと目盛ずつ時計方向に回転させていく（図７の矢印Ａ参照）。図９は、可動側繁殖管理部材３を図１の状態からひと目盛（１日分）だけ回転させた状態を示している。識別部材１２は、磁力によって可動側繁殖管理部材３の外周部に装着されているので、繁殖管理回転盤１の使用中に当該識別部材１２が可動側繁殖管理部材３の外周部から外れてしまう虞は無い。
【００５０】
可動側繁殖管理部材３を１日ひと目盛ずつ時計方向に回転させていき、図７に示すように、識別部材１２が「初回発情注意」の領域にきたら、繁殖管理対象の母牛を隔離牛房に移動させる。このように、本実施の形態の識別部材１２及び繁殖管理回転盤１を使用すれば、分娩後の繁殖管理対象の母牛が初回発情注意期間にあることが分かり、分娩後の繁殖管理対象の母牛が初回発情注意期間にあることを見落とすことがないので、発情を迎えつつある繁殖管理対象の母牛を確実に隔離牛房に移動させることができる。そして、繁殖管理対象の母牛に発情の兆候が現れたら、図１０に示すように、識別部材１２を、発情予定の母牛であることを示す「白色」の面を正面に向けた状態で、可動側繁殖管理部材３の外周部の、分娩後８０日を示す“８０”の数字と対応する箇所（発情日）に移動させる。この場合、可動側繁殖管理部材３の外周部に装着された識別部材本体部１３、すなわち識別部材１２を適度な力で外すことができるので、当該識別部材１２を、可動側繁殖管理部材３の外周部の、分娩後８０日を示す“８０”の数字と対応する箇所（発情日）にスムーズに移動させることができる。すなわち、本実施の形態の識別部材１２を用いれば、可動側繁殖管理部材３の外周部の、分娩後８０日を示す“８０”の数字と対応する箇所（発情日）に移動させる際の作業性の向上を図ることもできる。次いで、発情開始から１２時間目頃に繁殖管理対象の母牛に対して人工授精（ＡＩ）を行なう。人工授精（ＡＩ）を行なったら、図１１に示すように、識別部材１２を、ＡＩ後妊娠鑑定待ちの母牛であることを示す「黄色」の面を正面に向けた状態で、可動側繁殖管理部材３の外周部の、分娩後８０日を示す“８０”の数字と対応する箇所（ＡＩ日）に移動させる。
【００５１】
可動側繁殖管理部材３を、さらに１日ひと目盛ずつ時計方向に回転させていき、ＡＩ後の識別部材１２（黄色）が「発情注意」の領域（ＡＩ後１９日を示す“１９”からＡＩ後２３日を示す“２３”までの数字領域、及び、ＡＩ後４０日を示す“４０”からＡＩ後４４日を示す“４４”までの数字領域）にきたら、繁殖管理対象の母牛を隔離牛房に移動させる。そして、このＡＩ後妊娠鑑定待ちの母牛に発情が来たら、再び人工授精を行なう。このように、本実施の形態の識別部材１２及び繁殖管理回転盤１を使用すれば、ＡＩ後の繁殖管理対象の母牛が発情注意期間にあることも分かり、ＡＩ後の繁殖管理対象の母牛が発情状態にあること（人工授精が成功しなかったこと）を見落とすことがないので、再び人工授精を行なって、受胎率の低下を抑えることができる。一方、ＡＩ後妊娠鑑定待ちの母牛に発情が来ず、ＡＩ後の識別部材１２（黄色）が「妊娠鑑定」の領域（ＡＩ後５０日を示す“５０”からＡＩ後６０日を示す“０”までの数字領域）にきたら、繁殖管理対象の母牛の妊娠鑑定を行なう。そして、繁殖管理対象の母牛の妊娠が確定したら、図１２に示すように、識別部材１２を、その位置で、妊娠確定（＋）の母牛であることを示す「緑色」の面を正面に向けた状態にする（又は、識別部材１２を可動側繁殖管理部材３から外す）。牛の妊娠期間である２８５日を経過し、繁殖管理対象の母牛が分娩を終えたら、上記と同様の繁殖管理を繰り返す。以上により、「１年１産」の目標を確実に達成することができる。
【００５２】
ここでは、説明を簡略化するために、繁殖管理対象の母牛が１頭である場合を例に挙げて説明したが、複数の母牛の繁殖管理を、１つの繁殖管理回転盤１を用いて行なう場合には、例えば、個々の繁殖管理対象の母牛を識別するために異なる符号（例えば、異なる英数字）が付された複数の識別部材１２を用いて、個々の繁殖管理対象の母牛ごとに、上記と同様の作業を行なえばよい。
【００５３】
尚、本実施の形態においては、識別部材１２が、先端が開口した直方体筒状の本体部材からなる識別部材本体部１３を備えている場合を例に挙げて説明したが、本発明は必ずしもこのような構成に限定されるものではない。識別部材本体部の形状は任意であり、例えば、直方体柱状の本体部材からなっていてもよい。また、識別部材本体部は、図１３（ａ）に示すように、矩形平板状の本体部材２３からなっていてもよく、図１３（ｂ）に示すように、円柱状の本体部材２４からなっていてもよい。
【００５４】
また、本実施の形態においては、装着用マグネット１４が、円板状マグネットであって、低背円筒状のマグネットホルダ２１に取り付けられた状態で、識別部材本体部１３の基端に固着されている場合を例に挙げて説明したが、本発明は必ずしもこのような構成に限定されるものではない。装着用マグネットの形状は任意であり、例えば、矩形平板状のマグネットであってもよい。また、装着用マグネットは、例えば図１４に示すように、略立方体状のマグネット２５であってもよい。尚、図１４中、参照符号２６はマグネットホルダを示している。また、例えば図１５に示すように、装着用マグネット２７は、識別部材本体部１３の外側面に固着するようにしてもよい。但し、かかる構成の識別部材を用いる場合には、装着用マグネット２７は、凸条１１の外周面ではなく、同じく強磁性体で形成された可動側繁殖管理部材３の外周部の背面に吸着される。また、例えば図１５に示すように、マグネットホルダを介在させることなく、装着用マグネットを識別部材本体部に直接固着するようにしてもよい。
【００５５】
また、本実施の形態においては、識別部材１２が、４つの外側面が４色に塗り分けられた識別部材本体部１３を備えている場合を例に挙げて説明したが、本発明は必ずしもこのような構成に限定されるものではない。例えば、識別部材本体部の４つの外側面に、それぞれ、「ＡＩ対象」、「発情予定」、「妊娠鑑定待ち」、「妊娠確定」等の文字を表示するようにしてもよい。
【００５６】
［第２の実施の形態］
本実施の形態の識別部材が装着される繁殖管理回転盤の構成は、上記第１の実施の形態の繁殖管理回転盤１と同じであるため、本実施の形態においては、図１６〜図２１のほか、図１〜図７、図９〜図１２をも適宜参照しながら説明する。
【００５７】
［識別部材の構成］
【００５８】
本実施の形態の識別部材は、例えば、分娩日が同じ複数の母牛の繁殖管理を、１つの繁殖管理回転盤を用いて行なう場合に使用されるものである。但し、通常、「ＡＩ日」は個々の母牛によって異なるため、特定の母牛のＡＩ日以降においては、上記第１の実施の形態で説明した識別部材１２も併用される。
【００５９】
まず、本実施の形態における識別部材の構成について、図１６、図１７を参照しながら説明する。
【００６０】
図１６は、本発明の第２の実施の形態における、繁殖管理回転盤の使用時に可動側繁殖管理部材の外周部に装着して用いられる、繁殖管理対象の母牛を識別するための識別部材を示す分解斜視図、図１７は、当該繁殖管理回転盤用識別部材の使用状態を示す斜視図である。
【００６１】
図１６に示すように、本実施の形態の識別部材１５は、識別部材本体部２８と、識別部材本体部２８に固着され、可動側繁殖管理部材３の強磁性体からなる凸条１１の外周面に吸着させて、識別部材本体部２８を可動側繁殖管理部材３の外周部に装着するために用いられる装着用マグネット１８と、を備えている（図１、図２参照）。
【００６２】
識別部材本体部２８は、略立方体状の基部１６と、基部１６の１つの面に立設された棒状の支持体２９と、両端が開口した直方体筒状に形成され、支持体２９に挿通して用いられる３個の本体部材１９ａ、１９ｂ、１９ｃと、を備えている。ここで、支持体２９は、横断面がコの字状の細長いアルミ製の支持体本体部１７と、支持体本体部１７の側面に固着された、支持体本体部１７と同じ長さの棒状マグネット２０と、を含んでおり、３個の本体部材１９ａ、１９ｂ、１９ｃは、Ｆｅ、Ｎｉ、Ｃｏ、Ｆｅ−Ｎｉ、Ｆｅ−Ｃｏ、Ｎｉ−Ｃｏ等の強磁性体で形成されている。
【００６３】
本実施の形態の識別部材１５の構成によれば、連結箇所を目視で確認することなく、強磁性体からなる３個の本体部材（識別部材）１９ａ、１９ｂ、１９ｃを、棒状マグネット２０を含む支持体２９に順に挿通するだけで、当該３個の本体部材（識別部材）１９ａ、１９ｂ、１９ｃを連結することができる。従って、本実施の形態の識別部材１５の構成によれば、３個の本体部材（識別部材）１９ａ、１９ｂ、１９ｃの連結をスムーズに行なうことができる。また、本実施の形態の識別部材１５の構成によれば、磁力によって３個の本体部材（識別部材）１９ａ、１９ｂ、１９ｃを連結するものであるため、繁殖管理回転盤１の使用中に他方の本体部材（識別部材）が一方の本体部材（識別部材）から外れてしまう虞は無い。しかも、他方の本体部材（識別部材）を一方の本体部材（識別部材）から適度な力で切り離すことができるので、繁殖管理回転盤１の使用中に３個の本体部材（識別部材）１９ａ、１９ｂ、１９ｃのうちのいずれかを、識別部材１２に変更して、可動側繁殖管理部材３の外周部の他の箇所に移動させる際の作業性の向上を図ることもできる。
【００６４】
装着用マグネット１８は、円板状マグネットであって、低背円筒状のマグネットホルダ２２に取り付けられた状態で、識別部材本体部２８の基端（基部１６の前記１つの面と対向する面）に固着されている。
【００６５】
図１６、図１７に示すように、識別部材１５の本体部材１９ａ、１９ｂ、１９ｃの４つの外側面は、それぞれ、ＡＩ対象の母牛であることを示す「赤色」、発情予定の母牛であることを示す「白色」、ＡＩ後妊娠鑑定待ちの母牛であることを示す「黄色」、妊娠確定（＋）の母牛であることを示す「緑色」の４色に塗り分けられている。また、本体部材１９ａ、１９ｂ、１９ｃには、それぞれ、個々の繁殖管理対象の母牛を識別するための異なる符号（例えば、異なる英数字）が付されている。
【００６６】
［識別部材及び繁殖管理回転盤の使用方法］
次に、本発明の第２の実施の形態における識別部材１５、並びに、識別部材１２及び繁殖管理回転盤１の使用方法について、図１８〜図２１をも参照しながら簡単に説明する。ここでは、説明を簡略化するために、繁殖管理対象の母牛が３頭であり、かつ、当該３頭の母牛が同日に分娩を終えた場合を例に挙げて説明する。
【００６７】
図１８は、本発明の第２の実施の形態における繁殖管理回転盤用識別部材が装着される繁殖管理回転盤の、繁殖管理対象の３頭の母牛が同日に分娩を終えた日の状態を示す正面図、図１９は、当該繁殖管理回転盤の、繁殖管理対象の２頭の母牛が同日に分娩を終えた日の状態を示す正面図、図２０は、当該繁殖管理回転盤の、繁殖管理対象の３頭の母牛に発情が来た日の状態を示す正面図、図２１は、当該繁殖管理回転盤の、繁殖管理対象の３頭の母牛のうちの１頭に人工授精を行なった日の状態を示す正面図である。
【００６８】
同日に繁殖管理対象の３頭の母牛が分娩を終えたら（その分娩日を「火曜日」とする）、図１８に示すように、まず、可動側繁殖管理部材３を回転操作して、当該可動側繁殖管理部材３の曜日表示欄１０に表示された「火」の文字を、固定側繁殖管理部材２の分娩日を示す“０”の数字に合わせる。次いで、識別部材１５を、ＡＩ対象の母牛であることを示す「赤色」の面を正面に向けた状態で、可動側繁殖管理部材３の外周部の、分娩日を示す“０”の数字と対応する箇所に装着する。この場合、繁殖管理回転盤１の正面に立ち、分娩日を示す“０”の数字だけを見ながら、装着用マグネット１８を、可動側繁殖管理部材３の強磁性体からなる凸条１１の外周面の、分娩日を示す“０”の数字と対応する箇所に吸着させるだけで、識別部材本体部２８、すなわち識別部材１５を可動側繁殖管理部材３の外周部に装着することができる。従って、識別部材１５の装着をスムーズに行なうことができる。そして、このように識別部材１５を、可動側繁殖管理部材３の外周部の、分娩日を示す“０”の数字と対応する箇所に装着した状態で、可動側繁殖管理部材３を１日ひと目盛ずつ時計方向に回転させていく（図７の矢印Ａ参照）。識別部材１５は、磁力によって可動側繁殖管理部材３の外周部に装着されているので、繁殖管理回転盤１の使用中に可動側繁殖管理部材３の外周部から外れてしまう虞は無い。尚、同日に繁殖管理対象の２頭の母牛が分娩を終えた場合には、図１９に示すように、支持体２９から１個の本体部材（例えば、本体部材１９ｃ）を抜き取った状態の識別部材１５を、ＡＩ対象の母牛であることを示す「赤色」の面を正面に向けた状態で、可動側繁殖管理部材３の外周部の、分娩日を示す“０”の数字と対応する箇所に装着すればよい。
【００６９】
繁殖管理対象の３頭の母牛に発情の兆候が現れたら、図２０に示すように、識別部材１５を、発情予定の母牛であることを示す「白色」の面を正面に向けた状態で、可動側繁殖管理部材３の外周部の、分娩後８０日を示す“８０”の数字と対応する箇所（発情日）に移動させる。この場合、可動側繁殖管理部材３の外周部に装着された識別部材本体部２８、すなわち識別部材１５を適度な力で外すことができるので、当該識別部材１５を、可動側繁殖管理部材３の外周部の、分娩後８０日を示す“８０”の数字と対応する箇所（発情日）にスムーズに移動させることができる。すなわち、本実施の形態の識別部材１５を用いれば、可動側繁殖管理部材３の外周部の、分娩後８０日を示す“８０”の数字と対応する箇所（発情日）に移動させる際の作業性の向上を図ることができる。次いで、発情開始から１２時間目頃に繁殖管理対象の１頭の母牛に対して人工授精（ＡＩ）を行なう。１頭の母牛に対して人工授精（ＡＩ）を行なったら、図２１に示すように、当該１頭の母牛を識別していた本体部材１９ｃを、識別部材１５の支持体２９から抜き取り（矢印Ｂ参照）、それを識別部材１２に変更して、ＡＩ後妊娠鑑定待ちの母牛であることを示す「黄色」の面を正面に向けた状態で、可動側繁殖管理部材３の外周部の、分娩後８０日を示す“８０”の数字と対応する箇所（ＡＩ日）に装着する。この場合、本体部材１９ｃを本体部材１９ｂから適度な力で切り離すことができるので、本体部材１９ｃを、識別部材１２に変更して、可動側繁殖管理部材３の外周部の、分娩後８０日を示す“８０”の数字と対応する箇所（ＡＩ日）に移動させる際の作業性の向上を図ることができる。他の２頭の母牛に対しても、順次同様の作業を行なう。人工授精後の作業は、上記第１の実施の形態の場合と同じであるため、説明は省略する。
【００７０】
ここでは、説明を簡略化するために、繁殖管理対象の母牛が３頭であり、かつ、当該３頭の母牛が同日に分娩を終えた場合を例に挙げて説明したが、分娩日が異なる他の母牛の繁殖管理をも、同じ繁殖管理回転盤１を用いて行なう場合には、最初から上記第１の実施の形態で説明した識別部材１２を併用し、当該分娩日が異なる他の母牛に対しては上記第１の実施の形態と同様の作業を行なえばよい。
【００７１】
尚、本実施の形態においては、識別部材１５が、略立方体状の基部１６と、基部１６の１つの面に立設された棒状の支持体２９と、両端が開口した直方体筒状に形成され、支持体２９に挿通して用いられる３個の本体部材１９ａ、１９ｂ、１９ｃと、からなる識別部材本体部２８を備えている場合を例に挙げて説明したが、本発明は必ずしもこのような構成に限定されるものではない。基部１６は、必ずしも必須の構成要素ではなく、例えば図２２に示すように、棒状の支持体２９がマグネットホルダ２２に直接立設された構成であってもよい。また、本体部材は、必ずしも直方体筒状に形成されている必要はなく、例えば図２３に示すような、円筒状に形成された本体部材３８ａ〜３８ｄであっても、同様の効果を得ることができる。尚、この場合、支持体３７は円柱状に形成されていることが好ましい。図２３中、参照符号３０はマグネットホルダを示している。また、本体部材の個数も３個に限定されるものではなく、２個であっても、例えば図２３に示すように、４個あるいはそれ以上であってもよい。
【００７２】
また、本実施の形態においては、支持体２９が、横断面がコの字状の細長いアルミ製の支持体本体部１７と、支持体本体部１７の側面に固着された、支持体本体部１７と同じ長さの棒状マグネット２０と、を備えている場合を例に挙げて説明したが、本発明は必ずしもこのような構成に限定されるものではない。支持体は、少なくとも棒状マグネットを含んでいればよく、例えば図２４に示すように、支持体が棒状マグネット３４のみからなる構成であってもよい。
【００７３】
また、本実施の形態においては、装着用マグネット１８が、円板状マグネットであって、低背円筒状のマグネットホルダ２２に取り付けられた状態で、識別部材本体部２８の基端に固着されている場合を例に挙げて説明したが、本発明は必ずしもこのような構成に限定されるものではない。装着用マグネットの形状は任意であり、例えば、矩形平板状のマグネットであってもよい。また、装着用マグネットは、上記第１の実施の形態の図１４に示すような略立方体状のマグネットであってもよい。また、例えば図２５に示すように、装着用マグネット４０は、識別部材本体部２８の外側面（基部１６の外側面）に固着するようにしてもよい。但し、かかる構成の識別部材を用いる場合には、装着用マグネット４０は、凸条１１の外周面ではなく、同じく強磁性体で形成された可動側繁殖管理部材３の外周部の背面に吸着される。また、例えば図２５に示すように、マグネットホルダを介在させることなく、装着用マグネットを識別部材本体部に直接固着するようにしてもよい。
【００７４】
また、上記第１及び第２の実施の形態においては、固定側繁殖管理部材２の外周部に円周方向に沿って１４０個の領域に分割して形成された日付表示欄５が設けられ、日付表示欄５が、分娩日を示す“０”の数字と、それに続く分娩後１日を示す“１”から１年１産リミットの人工授精日ともなる分娩後８０日を示す“８０”までの数字とが時計方向に順に表示された第１の日付表示欄７と、第１の日付表示欄７に続けて設けられ、人工授精後１日を示す“１”から人工授精後５９日を示す“５９”までの数字が時計方向に順に表示された第２の日付表示欄８とからなる、繁殖管理回転盤１を例に挙げて説明したが、本発明の識別部材が装着される繁殖管理回転盤は必ずしもかかる構成のものに限定されるものではない。本発明の識別部材が装着される繁殖管理回転盤は、周方向に沿って繁殖管理スケジュールが表示された略円板状の固定側繁殖管理部材と、前記固定側繁殖管理部材の外周部に沿って配置された略円環板状部分を少なくとも有し、前記固定側繁殖管理部材に対して同心状に１日ひと目盛ずつ回転させて使用される可動側繁殖管理部材と、を備えたものであればよい。そして、可動側繁殖管理部材が、例えば、固定側繁殖管理部材の外周部に沿って配置された略円環板部分のみから構成されている場合には、例えば、固定側繁殖管理部材の外周部に可動側繁殖管理部材を回転可能に嵌め込むようにすればよい。また、識別部材が装着される繁殖管理回転盤は、例えば、日付表示欄が３６５個の領域に分割して形成され、１年を通しての繁殖管理を行なうように構成されたものであってもよい。
【００７５】
また、上記第１及び第２の実施の形態においては、繁殖管理対象が母牛である繁殖管理回転盤に装着して用いられる識別部材を例に挙げて説明したが、本発明の識別部材は必ずしも繁殖管理対象が母牛である繁殖管理回転盤だけに使用されるものではない。本発明の識別部材は、繁殖管理対象が、例えば、母豚等の他の家畜である繁殖管理回転盤に装着して用いることもできる。
【産業上の利用可能性】
【００７６】
本発明によれば、可動側繁殖管理部材の外周部への装着をスムーズに行なうことができると共に、繁殖管理回転盤の使用中に可動側繁殖管理部材の外周部から外れてしまう虞が無く、しかも、繁殖管理回転盤の使用中に可動側繁殖管理部材の外周部の他の箇所に移動させる際の作業性の向上をも図ることのできる繁殖管理回転盤用識別部材を提供することができる。従って、本発明の繁殖管理回転盤用識別部材は、繁殖管理回転盤を用いた繁殖管理の作業効率を向上させるのに有用である。
【符号の説明】
【００７７】
１  繁殖管理回転盤
２  固定側繁殖管理部材
３  可動側繁殖管理部材
４  軸支部材
５  日付表示欄
６  情報表示部
７  第１の日付表示欄
８  第２の日付表示欄
９  固定金具
１０  曜日表示欄
１１  凸条
１２、１５  識別部材
１３、２８  識別部材本体部
１４、１８、２５、２７、４０  装着用マグネット
１６  基部
１７  支持体本体部
１９ａ、１９ｂ、１９ｃ、２３、２４、３８ａ、３８ｂ、３８ｃ、３８ｄ  本体部材
２０  棒状マグネット
２５  略立方体状のマグネット
２１、２２、２６、３０  マグネットホルダ
２９、３７  支持体
【図１】
2015047144.tif 000003
【図２】
2015047144.tif 000004
【図３】
2015047144.tif 000005
【図４】
2015047144.tif 000006
【図５】
2015047144.tif 000007
【図６】
2015047144.tif 000008
【図７】
2015047144.tif 000009
【図８】
2015047144.tif 000010
【図９】
2015047144.tif 000011
【図１０】
2015047144.tif 000012
【図１１】
2015047144.tif 000013
【図１２】
2015047144.tif 000014
【図１３】
2015047144.tif 000015
【図１４】
2015047144.tif 000016
【図１５】
2015047144.tif 000017
【図１６】
2015047144.tif 000018
【図１７】
2015047144.tif 000019
【図１８】
2015047144.tif 000020
【図１９】
2015047144.tif 000021
【図２０】
2015047144.tif 000022
【図２１】
2015047144.tif 000023
【図２２】
2015047144.tif 000024
【図２３】
2015047144.tif 000025
【図２４】
2015047144.tif 000026
【図２５】
2015047144.tif 000027